【手続補正書】
【提出日】平成25年7月22日(2013.7.22)
【手続補正１】
【補正対象書類名】特許請求の範囲
【補正対象項目名】全文
【補正方法】変更
【補正の内容】
【特許請求の範囲】
【請求項１】
発光ダイオード（ＬＥＤ）ランプであって、
内部容積の境界をなすカバーと、
前記内部容積内に配置され、支持構造に支持された少なくとも１つのＬＥＤと、を備え、
前記カバーは、（ｉ）前記支持構造の近位にあり、実質的に非拡散の光の透過を許容するように配置された非拡散部と、（ｉｉ）前記支持構造から遠位にあり、拡散光の透過を許容するように配置された拡散部とを有し、
当該発光ダイオード（ＬＥＤ）ランプは、下記特徴（ｉ）及び特徴（ｉｉ）の少なくとも１つを有する
（ｉ）前記非拡散部は少なくとも１つの開口部を有する
（ｉｉ）前記拡散部は少なくとも１つの開口を有する
ことを特徴とする発光ダイオード（ＬＥＤ）ランプ。
【請求項２】
前記拡散部は少なくとも１つの開口を有することを特徴とする、請求項１に記載のＬＥＤランプ。
【請求項３】
前記少なくとも１つの開口は、前記少なくとも１つのＬＥＤからの非拡散の光放射の著しい透過を許容しないように配置されることを特徴とする、請求項２に記載のＬＥＤランプ。
【請求項４】
（ｉ）前記非拡散部は少なくとも１つの開口部を有し、（ｉｉ）前記拡散部は少なくとも１つの開口を有することを特徴とする、請求項１に記載のＬＥＤランプ。
【請求項５】
前記拡散部は複数の重なり合う拡散セグメントを有することを特徴とする、請求項１に記載のＬＥＤランプ。
【請求項６】
前記拡散部は少なくとも１つの開口を有し、前記少なくとも１つの開口は前記複数の重なり合う拡散セグメントのうちの異なる拡散セグメント間で画定されることを特徴とする、請求項５に記載のＬＥＤランプ。
【請求項７】
前記非拡散部と前記拡散部との境界は、前記支持構造及びエミッタマウント領域を通って画定可能である実質的な中心軸に対して実質的に垂直に配置された、線状の境界を含むことを特徴とする、請求項１に記載のＬＥＤランプ。
【請求項８】
前記非拡散部と前記拡散部との境界は、前記支持構造及びエミッタマウント領域を通って画定可能である実質的な中心軸に対して非垂直に配置された、角度を有する境界を含むことを特徴とする、請求項１に記載のＬＥＤランプ。
【請求項９】
前記非拡散部と前記拡散部との境界は、羽状の境界を含むことを特徴とする、請求項１に記載のＬＥＤランプ。
【請求項１０】
前記非拡散部と前記拡散部との境界は、遷移拡散部を含むことを特徴とする、請求項１に記載のＬＥＤランプ。
【請求項１１】
前記遷移拡散部は、異なる拡散特性を有する複数のゾーンを備え、段階的な拡散遷移をもたらすことを特徴とする、請求項１０に記載のＬＥＤランプ。
【請求項１２】
発光ダイオード（ＬＥＤ）ランプであって、
内部容積の境界をなすカバーと、
前記内部容積内に配置され、支持構造に支持された少なくとも１つのＬＥＤと、を備え、
前記カバーは、前記支持構造に近位の第１の透過領域と前記支持構造から遠位の第２の透過領域とを有し、
前記第１の透過領域と前記第２の透過領域とは、互いに関して、該第１の透過領域及び該第２の透過領域を透過するＬＥＤ光放射の、（ａ）拡散及び（ｂ）色、の少なくとも１つに対して異なる作用を与え、
当該発光ダイオード（ＬＥＤ）ランプは、下記特徴（ｉ）及び特徴（ｉｉ）の少なくとも１つを有する
（ｉ）少なくとも１つの開口部は、前記第１の透過領域に画定される
（ｉｉ）少なくとも１つの開口は、前記第２の透過領域に画定される
ことを特徴とする発光ダイオード（ＬＥＤ）ランプ。
【請求項１３】
前記第１の透過領域及び前記第２の透過領域は、該第１の透過領域及び該第２の透過領域を透過するＬＥＤ光放射の拡散に対して異なる作用を与えることを特徴とする、請求項１２に記載のＬＥＤランプ。
【請求項１４】
前記第１の透過領域及び前記第２の透過領域は、該第１の透過領域及び該第２の透過領域を透過するＬＥＤ光放射の色に対して異なる作用を与えることを特徴とする、請求項１２に記載のＬＥＤランプ。
【請求項１５】
前記第１の透過領域及び前記第２の透過領域のうちの少なくとも１つが、前記少なくとも１つのＬＥＤから放射された第１のピーク波長の光を受けて前記第１のピーク波長とは異なる第２のピーク波長の光を再放射するように配置された、ルミファを備えることを特徴とする、請求項１２に記載のＬＥＤランプ。
【請求項１６】
前記第１の透過領域及び前記第２の透過領域のうちの少なくとも１つが、カラーフィルタを備えることを特徴とする、請求項１２に記載のＬＥＤランプ。
【請求項１７】
請求項１２に記載のＬＥＤランプであって、
前記第１の透過領域の少なくとも一部は拡散性であり、
前記第２の透過領域の少なくとも一部は拡散性であり、
前記第１の拡散部の少なくとも一部は前記第２の拡散部の少なくとも一部に対し異なる拡散特性を有する、ことを特徴とする、ＬＥＤランプ。
【請求項１８】
前記第２の透過領域は拡散領域を有し、
前記第１の透過領域は非拡散領域を有する、ことを特徴とする請求項１２に記載のＬＥＤランプ。
【請求項１９】
少なくとも１つの開口部は前記第１の透過領域に画定されることを特徴とする、請求項１２に記載のＬＥＤランプ。
【請求項２０】
請求項１２に記載のＬＥＤランプであって、
（ｉ）少なくとも１つの開口部が前記第１の透過領域に画定され、
（ｉｉ）少なくとも１つの開口が前記第２の透過領域に画定される、
ことを特徴とする、ＬＥＤランプ。
【請求項２１】
前記第１の透過領域は、前記第２の透過領域とは実質的に異なる厚みを有することを特徴とする、請求項１２に記載のＬＥＤランプ。
【請求項２２】
前記第１の透過領域と前記第２の透過領域との境界は、前記支持構造及びエミッタマウント領域を通って画定可能である実質的な中心軸に対して実質的に垂直に配置された、線状の境界を含むことを特徴とする、請求項１２に記載のＬＥＤランプ。
【請求項２３】
前記第１の透過領域と前記第２の透過領域との境界は、前記支持構造及びエミッタマウント領域を通って画定可能である実質的な中心軸に対して非垂直に配置された、線状の境界を含むことを特徴とする、請求項１２に記載のＬＥＤランプ。
【請求項２４】
前記第１の透過領域と前記第２の透過領域との境界は、羽状の境界を含むことを特徴とする、請求項１２に記載のＬＥＤランプ。
【請求項２５】
前記第１の透過領域と前記第２の透過領域との境界は、遷移拡散部を含むことを特徴とする、請求項１２に記載のＬＥＤランプ。
【請求項２６】
前記第１の透過領域及び前記第２の透過領域の少なくとも１つは、前記ＬＥＤランプに対して取り外し可能に係合可能なカバー部を備えることを特徴とする、請求項１２に記載のＬＥＤランプ。
【請求項２７】
発光ダイオード（ＬＥＤ）ランプであって、
複数の拡散部を有し、内部容積を画定するカバーと、
前記内部容積内に配置され、支持構造に支持された少なくとも１つのＬＥＤと、を備え、
前記カバーは前記複数の拡散部間で画定された少なくとも１つの開口を備え、該少なくとも１つの開口によって前記内部容積と周囲環境との流体連通が許容されることを特徴とする、発光ダイオード（ＬＥＤ）ランプ。
【請求項２８】
前記少なくとも１つの開口は複数の開口を含むことを特徴とする、請求項２７に記載の発光ダイオード（ＬＥＤ）ランプ。
【請求項２９】
前記複数の開口は、前記少なくとも１つのＬＥＤからの非拡散の光放射の著しい透過を許容しないように配置されることを特徴とする、請求項２８に記載のＬＥＤランプ。
【請求項３０】
前記カバーは、前記支持構造の近位にあり、実質的に非拡散の光の透過を許容するように配置された非拡散部を有することを特徴とする、請求項２７に記載のＬＥＤランプ。
【請求項３１】
前記非拡散部は少なくとも１つの開口部を有することを特徴とする、請求項１から３０のいずれか１つに記載のＬＥＤランプ。
【請求項３２】
前記非拡散部は少なくとも１つの実質的に透明な材料を含むことを特徴とする、請求項１から３０のいずれか１つに記載のＬＥＤランプ。
【請求項３３】
前記非拡散部は、前記少なくとも１つのＬＥＤからの直接的な非反射光の放射の透過を許容するように配置されることを特徴とする、請求項１から３０のいずれか１つに記載のＬＥＤランプ。
【請求項３４】
前記非拡散部は、前記拡散部によって反射された逆散乱光の透過を許容するように配置されることを特徴とする、請求項１から３０のいずれか１つに記載のＬＥＤランプ。
【請求項３５】
前記支持構造は、複数の電気接触部を有する基端部と、該複数の電気接触部と前記少なくとも１つのＬＥＤとに電気的に連通する複数の導電体と、を備えることを特徴とする、請求項１から３４のいずれか１つに記載のＬＥＤランプ。
【請求項３６】
前記少なくとも１つのＬＥＤは、複数の独立して制御可能なＬＥＤを含むことを特徴とする、請求項１から３５のいずれか１つに記載のＬＥＤランプ。
【請求項３７】
複数の前記ＬＥＤは、異なるピーク波長を有する第１のＬＥＤ及び第２のＬＥＤを含むことを特徴とする、請求項３６に記載のＬＥＤランプ。
【請求項３８】
電球として具体化された、請求項１から３７のいずれか１つに記載のＬＥＤランプ。
【請求項３９】
請求項１から３７のいずれか１つに記載のＬＥＤランプを備える、照明装置。